(57)【要約】      （修正有）【課題】構造が簡単で耐久性があり、優れたピストン機能を有するトリガースプレイヤー提供すること。【解決手段】容器キャップＢに取り付けられるボディ体１と、該ボディ体１に取り付けられたシリンダー構造体２と該シリンダー構造体に備わったシリンダー部２２内を摺動可能なピストン体３とボディ体１に回動可能に取り付けられたトリガー体４とよりなり、トリガー体４を引き込むことによりシリンダー部内の液体をピストン体３で加圧し、シリンダー部２２に連通するノズル部２３から噴出させるトリガースプレイヤーであって、ピストンが外方に開放され筒体状に形成されているトリガースプレイヤー。【選択図】図４
2011206746.tif 000002
【特許請求の範囲】
【請求項１】
シリンダー部内の液をピストン体で加圧しノズル部から噴出させるトリガースプレイヤーであって、ピストン体が外方に開放され有底筒体状に形成されていることを特徴とするトリガースプレイヤー。
【請求項２】
容器キャップに取り付けられるボディ体と、該ボディ体に取り付けられたシリンダー構造体と該シリンダー構造体に備わったシリンダー部の外壁面を摺動可能なピストン体とボディ体に回動可能に取り付けられたトリガー体とよりなり、トリガー体を引き込むことによりシリンダー部内の液体をピストン体で加圧し、シリンダー部に連通するノズル部から噴出させるトリガースプレイヤーであって、ピストンが外方に開放され筒体状に形成されていることを特徴とするトリガースプレイヤー。
【請求項３】
シリンダー構造体は、ボディ体に装着される円筒基部と該円筒基部に設けられたシリンダー部と、円筒基部から延設されたノズル部とよりなり、ノズル部が屈曲可能なフレキシブルチューブ部を有することを特徴とするトリガースプレイヤー。
【請求項４】
シリンダー構造体は、シリンダー部に並設された、ガイド軸を有し、ピストン体は、該ガイド軸に案内される案内体を有することを特徴とするトリガースプレイヤー。
【請求項５】
シリンダー構造体の円筒基部の下端に設けた雄嵌合部がボディ体のべース部に設けた雌嵌合部に係止されていることを特徴とするトリガースプレイヤー。
【請求項６】
ピストン体は、シリンダー部の外壁面に沿って摺動する外側円筒部及び内壁面に沿って移動する内側有底円筒部を有することを特徴とするトリガースプレイヤー。
【請求項７】
ピストン体は外側円筒部から後方に延設されたバネ部を有することを特徴とするトリガースプレイヤー。
【発明の詳細な説明】
【技術分野】
【０００１】
本発明は、各種液体等を吐出するのに好適なトリガースプレイヤーに関する。
【背景技術】
【０００２】
従来、この種のトリガースプレイヤーは、液体容器に取り付けられ、その容器から吸い上げたシリンダー内の液体をトリガーの押圧力によってピストンを介して圧縮し、ノズルから噴出させるようになっている。
【先行技術文献】
【特許文献】
【０００３】
【特許文献１】特開２００６−２０５０４５号公報
【発明の概要】
【発明が解決しようとする課題】
【０００４】
しかしながら、この形式のトリガースプレイヤーでは、ピストンはシリンダーに対して液密性を保ちながら直線運動をする必要がある。
両者間で円滑な往復運動を行なわせるためにはピストンのシリンダーに対する摺動部分の機械的精度を保ち封止状態を十分確保しなければならない。
そのためシリンダーに対するピストンの摺接部分には、外方に突出したいわゆる封止機能を有する鰭状鍔が多重に形成されている（特許文献１）。
【０００５】
このような鰭状鍔を備えたピストンは構造が複雑で成形加工するには金型も複雑となる。
また、このような摺接部分を持つため実使用においては、その耐久性等も問題となる。
つまりピストンの摺接部分等が磨損すると液の逃げが生じノズルからの噴射力が弱まり適正機能が維持できなくなる恐れがある。
一方、多重な鰭状鍔が摺動する機構のためピストン前面が凹凸状となり、物理的にシリンダー内の下死点での体積がゼロとはならない。
有効行程長に限度が生じピストン機能の性能効率が必ずしも十分ではないのである。
従って液体の噴射機能も最大限に発揮できない。
【０００６】
本発明はかかる実状に鑑み、構造が簡単で耐久性があり、優れたピストン機能を有するトリガースプレイヤーを提供することを目的とする。
【課題を解決するための手段】
【０００７】
かくして、本発明者は、このような課題背景に対して鋭意研究を重ねた結果、ピストンの形状を有底の筒型に設計することにより、このような構造、性能上の問題点を解決することができることを見出し、この知見に基づいて本発明を完成させたものである。
【０００８】
すなわち、本発明は、（１）、シリンダー部内の液をピストン体で加圧しノズル部から噴出させるトリガースプレイヤーであって、ピストン体が外方に開放され有底筒体状に形成されているトリガースプレイヤーに存する。
【０００９】
また、本発明は、（２）、容器キャップに取り付けられるボディ体と、該ボディ体に取り付けられたシリンダー構造体と該シリンダー構造体に備わったシリンダー部の外壁面を
摺動可能なピストン体とボディ体に回動可能に取り付けられたトリガー体とよりなり、トリガー体を引き込むことによりシリンダー部内の液体をピストン体で加圧し、シリンダー部に連通するノズル部から噴出させるトリガースプレイヤーであって、ピストンが外方に開放され筒体状に形成されているトリガースプレイヤーに存する。
【００１０】
また、本発明は、（３）、シリンダー構造体は、ボディ体に装着される円筒基部と該円筒基部に設けられたシリンダー部と、円筒基部から延設されたノズル部とよりなり、ノズル部が屈曲可能なフレキシブルチューブ部を有するトリガースプレイヤーに存する。
【００１１】
また、本発明は、（４）、シリンダー構造体は、シリンダー部に並設された、ガイド軸を有し、ピストン体は、該ガイド軸に案内される案内体を有するトリガースプレイヤーに存する。
【００１２】
また、本発明は、（５）、シリンダー構造体の円筒基部の下端に設けた雄嵌合部がボディ体のベース部に設けた雌嵌合部に係止されているトリガースプレイヤーに存する。
【００１３】
また、本発明は、（６）、ピストン体は、シリンダーの外壁面に沿って摺動する外側円筒部及び内壁面に沿って移動する内側有底円筒部を有するトリガースプレイヤーに存する。
【００１４】
また、本発明は、（７）、ピストン体は外側有底円筒部から後方に延設されたバネ部を有するトリガースプレイヤーに存する。
【発明の効果】
【００１５】
本発明のトリガースプレイヤーによれば、ピストン体が外方に開放された有底筒体状に形成されていることで、従来と異なって、下死点におけるピストン体とシリンダー部との間の空間Ｓを極力小さくできる。
すなわちシリンダー内の有効空間を最大限に利用できる。
また、ピストン体は外側円筒部から延設されたバネ部を一体に有することで、ピストンの動きが確実に効率よくバネ部に伝えられる。
【００１６】
シリンダー構造体の円筒基部の下端が、ボディ体のベース部に係止されているので、シリンダー構造体がボディ体に対して抜け止めされる。
シリンダー構造体がボディ体の装着される円筒基部、円筒基部に設けられたシリンダー部と、円筒基部から延設されたノズル部とよりなり、ノズル部がフレキシブルチューブ部を備えているので、ノズル部と円筒基部とが同軸の状態で成形でき、フレキシブルチューブ部を曲げることによりで簡単に組み込みが行われる。
【図面の簡単な説明】
【００１７】
【図１】図１は、本発明の実施形態におけるトリガースプレイヤーの全体構成例を示す断面図である。
【図２】図２は、本発明の実施形態におけるトリガースプレイヤーの全体構成例を示す断面図であり、トリガーを引いた後の状態を示す。
【図３】図３は、本発明の実施形態におけるトリガースプレイヤーの全体側面図を示す。
【図４】図４は、本発明の実施形態におけるトリガースプレイヤーの分解図を示す。
【図５】図５は、本発明の実施形態のトリガースプレイヤーにおいて、ボディ体とシリンダー構造体との配設関係を示すもので、（Ａ）は装着前、（Ｂ）は装着後を示す。
【図６】図６は、本発明の実施形態におけるトリガースプレイヤーのシリンダー構造体を示す図である。
【図７】図７は、シリンダー構造体のノズル部の先端にあるノズル口部がボディ体のノズル下取り付け部に支持された状態を示す。
【図８】図８はピストン体を説明する断面図である。
【図９】図９は、本発明の別の実施形態におけるトリガースプレイヤーの全体構成例を示す断面図である。
【発明を実施するための形態】
【００１８】
以下、図面に基づき、本発明によるトリガースプレイヤーＡの好適な実施の形態を説明する。
【００１９】
図１は、本発明の実施形態におけるトリガースプレイヤーＡの全体構成例を示す断面図である。
【００２０】
また、図２は、同じくトリガースプレイヤーＡの全体構成例を示す断面図であり、トリガーを引いた後の状態を示す。
【００２１】
図３は、本発明の実施形態におけるトリガースプレイヤーＡの全体側面図を示す。
【００２２】
図４は、本発明の実施形態におけるトリガースプレイヤーＡの分解図を示す。
このトリガースプレイヤーＡは、ボディ体１を介して容器キャップに取り付け、容器本体に充填されている液体を外部に噴出（吐出）させる機能を有するものである。
【００２３】
このトリガースプレイヤーＡは、そのボディ体１の部分が容器キャップＢに取り付けられる。
該ボディ体１には、シリンダー部２２を有するシリンダー構造体２が取り付けられ、該シリンダー部２２内を特殊な形状のピストン体３が前後方向に摺動可能となっている。
なお、以下前後方向とはノズル側を前方とした場合で、図１でいう左右方向を云う。
ボディ体１にはトリガー体４が回動可能に取り付けられており、このトリガー体４を指等を使って引き込むことによりピストン体を後方に動かしシリンダー部内の液体を加圧し、シリンダー部２２に連通するノズル部２３から液を噴出させる。
そして、本発明のトリガースプレイヤーＡはピストン体３が外方に開放され筒体状に形成されていることが主な特徴の１つである。
【００２４】
以下、さらにトリガースプレイヤーＡを構成する各要素部品について詳しく述べていく。
（ボディ体）
ボディ体１はシリンダー構造体２やトリガー体４、ピストン体３を組み付けるベースとなる部分で、容器キャップＢに係止されて取り付けられるが、直接、容器の口部に取り付けることも可能である。
ボディ体１は、ベース部１１と該ベース部に一体に形成されたカバー部１２とよりなる。
このカバー部１２はベース部１１の後方にあるヒンジを介して回動可能となるように一体となって形成されている。
このカバー部１２の先端には、ノズル部２３を上方から押さえるノズル上取付け部１２Ａを備える。
【００２５】
また、ボディ体１は、ベース部１１から上方に延びる両側側壁部１１Ａと該側壁部の前端に形成されノズル部２３を下方から支えるノズル下取付け部１１Ｂを備える。
ボディ体１のベース部１１にはシリンダー構造体２の円筒基部２１を装着するためのシリンダー装着部１１Ｃが設けられており、このシリンダー装着部１１Ｃの下端にシリンダー構造体２が装着された状態で抜け止めを行うための雌嵌合部１１Ｄが形成されている。
【００２６】
図５は、本発明の実施形態のトリガースプレイヤーＡにおいて、ボディ体１とシリンダー構造体２の配設関係を示すもので、図５（Ａ）は装着前、図５（Ｂ）は装着後を示す。
シリンダー構造体２の円筒基部２１が上方から押し込まれボディ体１のベース部１１のリンダー装着部１１Ｃに装着されており、この状態で、シリンダー構造体１の後述する雄嵌合部２５がベース部の雌嵌合部１１Ｄに嵌まって係止されているのが分かる。
このような装着作用と抜け止め作用とが別々の部分でなされるため、シリンダー構造体２はボディ体１に対して封止めされ、また安定した取付け状態となる。
ボディ体１にシリンダー構造体２やピストン体３が収納された状態で、カバー部１２を回動して閉じることでこれら主要な内部機構が覆われて保護される。
【００２７】
（シリンダー構造体）
シリンダー構造体２は、円筒基部２１と該円筒基部から起立して前後方向に延びるシリンダー部２２と、円筒基部２１の上端部から上方に延びるノズル部２３を備えている。
円筒基部２１とノズル部２３の先端の位置にあるノズル口部２３Ａを連絡する部分は屈曲自在なフレキシブルチューブ部２３Ｂとなっている。
シリンダー部２２の下方には円筒基部から突出し前後方向に延びる中空のガイド軸２４が並列して形成されている。
シリンダー部２２は有底の円筒状であり底面２２Ａにノズル部２３に連絡される連絡通路Ｐが形成されている。
また円筒基部の下端には雄嵌合部２５が設けられ、この雄嵌合部２５が前述したボディ体１のベース部１１に形成された雌嵌合部１１Ｃに係止されて取り付けられる。
なお、その際、円筒基部２１は、前述したようにボディ体１のシリンダー装着部１１Ｂに装着される。
【００２８】
シリンダー構造体２は、これらノズル部２３、フレキシブルチューブ部２３Ｂ、円筒基部２１、シリンダー部２２、及びガイド軸２４が一体に成形（例えば射出成形により）されて作られている。
そしてシリンダー構造体２は、成形後の成形品としては、円筒基部２１に対してノズル部２３（すなわちノズル口部２３Ａとフレキシブルチューブ部２３Ｂ）が延長されて同軸となっている。
【００２９】
図６は、本発明の実施形態におけるトリガースプレイヤーＡのシリンダー構造体（射出成形品）を示す図である。
ボディ体１に組み付ける際は、フレキシブルチューブ部２３Ｂを前方に屈曲しボディ体のノズル下取り付け部１１Ｂとカバー部のノズル上取り付け部１２Ａとの間で把持された状態で取り付けられる。
【００３０】
図７は、ノズル部の先端にあるノズル口部２３Ａがボディ体のノズル下取り付け部１１Ｂに支持された状態を示し、この後、カバー部のノズル上取り付け部１２Ａにより挟み込まれる。
【００３１】
（ピストン体）
ピストン体３は、シリンダー部２２内にある液体を加圧してシリンダー部内に連通するノズル部２３から噴射させるものである。
【００３２】
図８は、ピストン体３を説明する断面図である。
ピストン体３は、内側有底円筒部３１と外側円筒部３２を備え、両者は、外方に（すなわち図でいうと前方に）開放されており、底面３１Ａが後方となっている。
また、内側有底円筒部３１は、シリンダー部の内壁面に沿って移動し、外側円筒部３２はシリンダー部の外壁面を圧するように摺動する。
すなわちシリンダー部の先端が外方にやや径大になっており、この径大部がピストン体３の外側円筒部３２の内壁面に圧接されている。
なお内側有底円筒部３１のシリンダー部の内壁面とは圧接状態にはない。
内側有底円筒部３１の外壁面と外側円筒部３２の内壁面とシリンダー部の先端部で空間Ｓ１が区画形成される。
ピストン体が押されて後方に摺動するにつれて、この空間Ｓ１は縮小して、下死点（図２のように、ピストン体が最も後方の位置となる点）においてはゼロ空間となる。
この空間Ｓ１の液体はシリンダー部内の大空間Ｓに移動することはいうまでもない。
内側有底円筒部３１の底面３１Ａは平らなのでシリンダー部２２の平らな底面に正確に当接することができる。
そのため、シリンダー部内の有効空間を最大限に利用できる。
また、ワンストロ−ク（すなわちワンショット）で最大に噴出できる泡量は空間Ｓ１と大空間Ｓとの二つの容積のほぼ和となる。
【００３３】
ピストンは、トリガーから伝わる力によって移動するが、この力はピストンの開口端（図でいう前方端）から突出形成された押棒３３をトリガーで押すことにより行われる。
この押棒３３は、シリンダー部内壁に一部厚み部分を設け延出させて形成されている。
一方、ピストン体の外側円筒部３２の一部は下方に突出して有底円筒案内部３１を形成している。
この有底円筒案内部３４は前述したシリンダー部の下方に並列して存在するガイド軸２４に沿って案内され前後方向に移動する。
有底円筒案内部３４には外気に通じる通気溝Ｔが形成されており、ピストン体が最大後方に移動した時、外気がこの通気溝Ｔからガイド軸２４内を通って容器本体内に入り負圧が防止される。
また、ピストン体３は外側円筒部３２から後方に延設されたバネ部３５を有する。
このバネ部３５は一対の上アーチ部３５Ａと一対の下アーチ部３５Ｂとよりなるもので、上アーチ部３５Ａと下アーチ部３５Ｂとが離れるように曲がることでピストンの復帰力を蓄えるものである。
【００３４】
（トリガー体）
トリガー体４は、ボディ体１に回動可能に取り付けられている。
すなわち、トリガー体４の上端には、外方に回動軸４１が突出しており、この回動軸４１がボディ体１に形成されたＵ字状の軸受け部１３に嵌り込んでいる。
トリガー体４は回動軸４１を下方からＵ字状の軸受け部に押し込むことで軸受け部１３に取り付けられる。
また、トリガー体４には回動軸４１の下方に凹部４２が形成されており、この凹部４２で前述したピストンの押棒３３の先端を押圧する。
そのため、トリガーを引き込むと、回動軸を支点としてトリガーが回動し、この凹部４２がピストン体３の押棒３３の先端を押圧することで、ピストン体はシリンダー部内を後方に摺動する。
この場合、トリガー体４の回動により凹部４２の位置が上下に多少動くため押棒３３も同様に動く。
しかし、前述したように、ピストン体は、外側円筒部３２の部分でシリンダー部２２に圧接されているだけなので（すなわちピストン体３の内側有底円筒部３１とシリンダー部２２の内壁面とは圧接状態にはない）、上下方向の振れにも十分、対応することができる。
【００３５】
上述の各部品要素の材料としては、好ましくは、ボディ体１、ピストン体３、及びトリガー体４がポリプロピレン、シリンダー構造体２は直鎖状低密度ポリエチレンが採用される。
以上述べた、ボディ体シリンダー構造体２、ピストン体３、トリガー体４が一体に組み込まれる。
尚、その際、ファーストバルブＦＶ（例えば低密度ポリエチレン製）やノズルキャップ（例えばポリプロピレン製）、吸い上げ管（例えばポリプロピレン製）が同時に取り付けられる。
【００３６】
組み付けにおいて、ボディ体１にシリンダー構造体２を取り付ける場合は、シリンダー構造体の円筒基部をボディ体のシリンダー装着部１１Ｃに上方から押し入れる。
そして押し入れが終了した段階では、シリンダー構造体の雄嵌合部２５がボディ体の雌嵌合部１１Ｄに係止固定される。
これでボディ体（詳しくはシリンダー装着部）とシリンダー構造体（詳しくは円筒基部）との間の密封が確実に保たれる。
また、ボディ体１に対するシリンダー構造体２の抜けが防止される。
【００３７】
また、ピストン体３は、そのバネ部３５のアーチ部の間に下方からノズル部２３を通した状態で、ピストンと有底円筒案内部３４をシリンダー構造体のシリンダー部及びガイド軸２４に沿って押し込む。
バネ部の後端は、ボディ体のベース部に立設した起立壁１１Ｅに当接して支持される。
トリガー体４は、ボディ体１に対して下方から押し上げることで、その回動軸４１がボディ体のＵ字状の軸受け部１３に嵌り込み回動自在に取り付けられる。
最後に、カバーをヒンジ部を起点として回動させ、その先端のノズル上取付け部１２Ａとボディ体のノズル下取付け部１１Ｂとでノズル口部２３を挟み込み、ノズルキャップを装着する。
このようにトリガースプレイヤーＡにおいては組み込みが極めて容易に行われる。
【００３８】
（作用）
次にトリガースプレイヤーＡを使った場合の操作を述べる。
いま、トリガースプレイヤーＡを握って指でトリガー体４を引くと、トリガー体が回動軸４１を支点として回動し、ピストン体の押棒３３を押す。
ピストン体３の内側有底円筒部３１は、シリンダー部２２の内壁面に沿って移動し、且つ外側円筒部３２はシリンダー部２２の外壁面を圧するように摺動する。
トリガー体４の回動により押棒３３も上下に動くが、前述したように、ピストン体３は上下方向の振れにも十分、対応することができる。
【００３９】
ピストン体３が後方向に押し込まれると、シリンダー部内の液は加圧され、シリンダー部の底面に形成された連絡通路Ｐからフレキシブルチューブ部２３Ｂを通ってノズル口部２３Ａから液が噴射される。
ピストン体が押されて後方に摺動するにつれて、空間Ｓ１は縮小し、ここにある液体はシリンダー部内の大空間Ｓに移動し、またこの大空間Ｓも縮小する。
下死点では大空間Ｓはゼロとなる。
【００４０】
また、ピストン体やトリガー体の復帰力についていうと、ピストン体が後方向に移動すると、バネ部３５が変形して復帰力が生まれる。
すなわちバネ部の上アーチ部３５Ａと下アーチ部３５Ｂとが曲がって相互に離れると、バネ力が生じ復帰力が蓄えられる。
【００４１】
トリガー体４から指を放して力を抜くと、この復帰力により、バネ部の上アーチ部３５Ａと下アーチ部３５Ｂとが接近するように作用し、ピストン体３が前方に戻るように移動する。
バネ部３５はピストン体３と一体となっているので、両者間に摩擦、間隙等は全く生じなく、ピストン体３の力がバネ部３５に確実にしかも効率良く伝達される。
【００４２】
以上、本発明を説明したが、本発明は、上述した実施の形態に限定されることなく、変形例も可能である。
例えば、シリンダー構造体２に一体化されているノズル部は、フレキシブルチューブ部２３Ｂ（液の通路部）を介してノズル口部２３Ａがあるが、フレキシブルチューブ部２３Ｂを固定した液の通路部Ｐとしてもよい。
【００４３】
図９は、ノズル部が屈曲可能なフレキシブルチューブ部２３Ｂを使わない通路部を有する別の実施形態の全体構成例を示す断面図である。
また、カバー部１２については、ベース部１１に一体に形成されてなくとも、別体であっても採用可能である。
またシリンダー部の円筒基部２１の雄嵌合部２５やボディ体のベース部の雌嵌合部１１Ｄは、どちらを雌にするか雄にするかは自由である。
【産業上の利用可能性】
【００４４】
本発明は、シリンダー部内の液をピストン体で加圧しノズル部から噴出させるトリガースプレイヤーであって、ピストン体が外方に開放され筒体状に形成されているものである。
そのため構造が簡単で耐久性があり、優れたピストン機能を有する等のメリットを有するものであるが、この原理を応用する限り、このトリガースプレイヤー以外の型式構造を持つポンプディスペンサーにも適用可能である。
【符号の説明】
【００４５】
１…ボディ体
１１…ベース部
１１Ａ…両側側壁
１１Ｂ…ノズル下取付け部
１１Ｃ…シリンダー装着部
１１Ｄ…雌嵌合部
１１Ｅ…起立壁
１２…カバー部
１２Ａ…ノズル上取付け部
１３…軸受け部
２…シリンダー構造体
２１…円筒基部
２２…シリンダー部
２２Ａ…底面
２３…ノズル部
２３Ａ…ノズル口部
２３Ｂ…フレキシブルチューブ部
２４…ガイド軸
２５…雄嵌合部
３…ピストン体
３１…内側有底円筒部
３１Ａ…底面
３２…外側円筒部
３３…押棒
３４…有底円筒案内部
３５…バネ部
３５Ａ…上アーチ部
３５Ｂ…下アーチ部
４…トリガー体
４１…回転軸
４２…凹部
５…吸い上げ管
Ａ…トリガースプイレイヤー
Ｂ…容器キャップ
Ｐ…連絡通路
Ｔ…通気溝
ＦＶ…ファ−ストバルブ
【図１】
2011206746.tif 000003
【図２】
2011206746.tif 000004
【図３】
2011206746.tif 000005
【図４】
2011206746.tif 000006
【図５】
2011206746.tif 000007
【図６】
2011206746.tif 000008
【図７】
2011206746.tif 000009
【図８】
2011206746.tif 000010
【図９】
2011206746.tif 000011